(57)【要約】【課題】  維持放電に関与する電極の面放電ラインを増大させて低電圧でも発光効率を向上することが可能なプラズマ表示パネルを提供すること。【解決手段】  第１基板１及び第２基板３と；複数の放電セル１５を区画する隔壁１３と；蛍光体層１７と；第１基板１に形成されるアドレス電極５と；第２基板３に上記アドレス電極と交差する方向に伸びて形成され，各放電セル１５の第１方向の両側に配置される第１電極７及び第２電極９と；第１電極７と第２電極９との間に配置される第３電極１１と；を備え，第１電極７と第２電極９は，放電セル１５に対向する領域の両側端から放電セル１５の中心に向かって突出形成される透明電極７ａ，９ａを有する。上記透明電極７ａ，９ａは，放電セル１５内で放電ギャップを形成する面放電ラインを形成して，第１方向に対して所定の角度を持つことにより低電圧でも発光効率が向上できる。【選択図】図１
2006156381.tif 000002
【特許請求の範囲】
【請求項１】
互いに対向配置される第１基板及び第２基板と；
前記第１基板と前記第２基板との間に配置されて複数の放電セルを区画する隔壁と；
前記放電セル内に形成される蛍光体層と；
前記第１基板に第１方向に伸びて形成されるアドレス電極と；
前記第２基板に前記アドレス電極と交差する第２方向に伸びて形成され，前記各放電セルの第１方向の両側にそれぞれ配置される第１電極及び第２電極と；
前記第２基板の前記第１電極と前記第２電極との間に配置されて前記第１電極及び前記第２電極と所定の間隔を維持する第３電極と；
を備え，
前記第１電極と前記第２電極は，前記放電セルの第１方向の両側からそれぞれ前記放電セルの中心に向かって突出形成される透明電極を有し，
前記第１電極の透明電極と前記第２電極の透明電極は，前記放電セル内で放電ギャップを形成する面放電ラインを形成して，
前記面放電ラインは，前記第１方向に対して所定の角度を持つように伸長することを特徴とする，プラズマ表示パネル。
【請求項２】
前記隔壁は，
前記第１方向に伸びて形成される第１隔壁部材と，
前記第１隔壁部材と交差する第２方向に伸びて形成される第２隔壁部材と，
を有することを特徴とする，請求項１に記載のプラズマ表示パネル。
【請求項３】
前記第１電極及び前記第２電極は，
前記放電セルの第１方向の両側で前記透明電極に接するようにそれぞれ配置されて，前記第２方向に伸びるように形成されるバス電極を有することを特徴とする，請求項１または２のいずれかに記載のプラズマ表示パネル。
【請求項４】
前記透明電極の面放電ラインは，
前記放電セル内で放電セルの一つの対角線方向に沿って形成されることを特徴とする，請求項１〜３のいずれかに記載のプラズマ表示パネル。
【請求項５】
前記第３電極は，前記第１電極の面放電ライン及び前記第２電極の面放電ラインと所定の間隔を維持しながら屈曲形状に形成されることを特徴とする，請求項４に記載のプラズマ表示パネル。
【請求項６】
前記第３電極は，
前記第２基板に形成される透明電極と，
前記透明電極に接するように形成されるバス電極と，
を有することを特徴とする，請求項５に記載のプラズマ表示パネル。
【請求項７】
前記透明電極の面放電ラインは，
前記放電セル内で前記放電セルの一つの対角線方向の直線として形成される，請求項４に記載のプラズマ表示パネル。
【請求項８】
前記第３電極は，前記放電セル内で前記第１電極の透明電極の面放電ラインと前記第２電極の透明電極の面放電ラインとの間に配置されて，前記第１電極及び第２電極の透明電極の面放電ラインと平行な対角線方向の直線として形成される，請求項７に記載のプラズマ表示パネル。
【請求項９】
前記第１電極，前記第２電極，及び前記第３電極は，誘電層で覆われることを特徴とする，請求項１〜８のいずれかに記載のプラズマ表示パネル。
【請求項１０】
前記誘電層は，保護膜で覆われることを特徴とする，請求項９に記載のプラズマ表示パネル。
【請求項１１】
前記面放電ラインは，前記透明電極の前記第２方向の長さより長く形成されることを特徴とする，請求項１〜１０のいずれかに記載のプラズマ表示パネル。
【請求項１２】
前記面放電ラインは，前記第２方向に対して所定の角度を持つように伸長することを特徴とする，請求項１〜１１のいずれかに記載のプラズマ表示パネル。
【発明の詳細な説明】
【技術分野】
【０００１】
本発明は，プラズマ表示パネル（以下，“ＰＤＰ：Ｐｌａｓｍａ  Ｄｉｓｐｌａｙ  Ｐａｎｅｌ”という）に関し，特に，４電極構造で維持放電に関与する電極の面放電ライン（放電端になる電極周縁部）を増大させて発光効率を向上させるプラズマ表示パネルに関する。
【背景技術】
【０００２】
一般に，ＰＤＰは，ガス放電現象を利用して画像を表示するものであって，表示容量，輝度，コントラスト，残像，視野角などの優れた表示能力を有している。
【０００３】
このＰＤＰは，維持電極と走査電極に電圧を印加することによりこの電極間にガス放電を起こし，この時発生する真空紫外線によって蛍光体を励起させ，この蛍光体が安定状態に復帰しながら発生する可視光によって画像を実現させる。
【０００４】
このＰＤＰは４電極構造であって，放電セルを区画する隔壁を挟んで前面基板と背面基板とを相互封着して形成される。前面基板には，放電セルごとに２本の維持電極と１本の走査電極とを備え，背面基板には，１本のアドレス電極を備える。隔壁は，放電セルを区画して形成する。この放電セル内には，不活性ガス（一例としてネオン（Ｎｅ）とキセノン（Ｘｅ）の混合ガス）が充電される。
【０００５】
このＰＤＰの動作を見ると，アドレス電極にアドレス電圧を印加し，走査電極に走査パルスを印加すれば，二つの電極間にアドレス放電が起こりながら点灯させたい放電セルが選択される。この時，壁電荷が形成される。この状態で，維持電極と走査電極の間に維持電圧を有する維持パルスを印加すれば，選択された放電セル内で瞬間的に維持放電が起こる。すなわち，維持電極と走査電極に形成された電子とイオンが維持電極と走査電極との間で移動しながら，アドレス放電時形成された壁電荷による壁電圧と印加された維持電圧の合計電圧が放電開始電圧以上になると維持放電が起こる。
【０００６】
このＰＤＰは，前面基板に面放電構造を形成する維持電極と走査電極とを備え，低い維持電圧で維持放電を起こせるように維持電極と走査電極との間隔を狭くして，いわゆるショートギャップ配置にしている。
【０００７】
この場合，維持電極と走査電極とのショートギャップで発生する真空紫外線が放電セル内の一部領域だけに分布する。このため，放電セル内の一部蛍光体が励起されるだけなので発光効率が低い。
【０００８】
このＰＤＰの発光効率を高めるために，維持電極と走査電極との間隔を広くして，いわゆるロングギャップに形成し，これと同時に維持電極と走査電極との間で維持放電のための維持電圧を低電圧でも可能にする必要がある。
【発明の開示】
【発明が解決しようとする課題】
【０００９】
上記のように，従来のプラズマ表示パネルによれば，低い維持電圧を実現するためのショートギャップでは，発生する真空紫外線が放電セル内の一部領域だけに分布するため，放電セル内の一部蛍光体が励起されるだけなので発光効率が低いという問題がある。
【００１０】
そこで，本発明は，このような問題に鑑みてなされたもので，その目的は，維持放電に関与する電極の面放電ライン（放電端になる電極周縁部）を増大させて発光効率を向上させることが可能な，新規かつ改良されたプラズマ表示パネルを提供することにある。
【課題を解決するための手段】
【００１１】
上記課題を解決するために，本発明のある観点によれば，互いに対向配置される第１基板及び第２基板と；上記第１基板と上記第２基板との間に配置されて複数の放電セルを区画する隔壁と；上記放電セル内に形成される蛍光体層と；上記第１基板に第１方向に伸びて形成されるアドレス電極と；上記第２基板に上記アドレス電極と交差する第２方向に伸びて形成され，上記各放電セルの第１方向の両側にそれぞれ配置される第１電極及び第２電極と；上記第２基板の上記第１電極と上記第２電極との間に配置されて上記第１電極及び上記第２電極と所定の間隔を維持する第３電極と；を備え，上記第１電極と上記第２電極は，上記放電セルの第１方向の両側からそれぞれ上記放電セルの中心に向かって突出形成される透明電極を有し，上記第１電極の透明電極と上記第２電極の透明電極は，上記放電セル内で放電ギャップを形成する面放電ラインを形成して，上記面放電ラインは，上記第１方向に対して所定の角度を持つように伸長することを特徴とする，プラズマ表示パネルが提供される。
【００１２】
また，上記隔壁は，上記第１方向に伸びて形成される第１隔壁部材と，上記第１隔壁部材と交差する第２方向に伸びて形成される第２隔壁部材と，を有してもよい。
【００１３】
また，上記第１電極及び上記第２電極は，上記放電セルの第１方向の両側で上記透明電極に接するようにそれぞれ配置されて，上記第２方向に伸びるように形成されるバス電極を有してもよい。
【００１４】
また，上記透明電極の面放電ラインは，上記放電セル内で放電セルの一つの対角線方向に沿って形成されてもよい。
【００１５】
また，上記第３電極は，上記第１電極の面放電ライン及び上記第２電極の面放電ラインと所定の間隔を維持しながら屈曲形状に形成されてもよい。
【００１６】
また，上記第３電極は，上記第２基板に形成される透明電極と，上記透明電極に接するように形成されるバス電極と，を有してもよい。
【００１７】
また，上記透明電極の面放電ラインは，上記放電セル内で上記放電セルの一つの対角線方向の直線として形成されてもよい。
【００１８】
また，上記第３電極は，上記放電セル内で上記第１電極の透明電極の面放電ラインと上記第２電極の透明電極の面放電ラインとの間に配置されて，上記第１電極及び第２電極の透明電極の面放電ラインと平行な対角線方向の直線として形成されてもよい。
【００１９】
また，上記第１電極，上記第２電極，及び上記第３電極は，誘電層で覆われてもよい。
【００２０】
また，上記誘電層は，保護膜で覆われてもよい。
【００２１】
また，上記面放電ラインは，上記透明電極の上記第２方向の長さより長く形成されてもよい。
【００２２】
また，上記面放電ラインは，上記第２方向に対して所定の角度を持つように伸長してもよい。
【発明の効果】
【００２３】
以上説明したように，本発明によれば，第１維持電極と第２維持電極の各透明電極を放電セルの中心に突出形成し，この透明電極の相互面放電ライン（放電の両端になる対向電極の各周縁部）を放電セル内で放電セルの対角線方向に傾くように形成し，これら透明電極の間で各面放電ラインと所定の距離を維持するように走査電極を備えるため，低電圧による維持放電を実現することができる。
【００２４】
また，このＰＤＰは，維持放電初期に走査電極と第２維持電極との間の維持放電の進行を放電セルの対角線方向に形成し，次いで本格的な維持放電の進行を第１維持電極と第２維持電極との間で放電セルの対角線方向に形成して，第１維持電極と第２維持電極との間をロングギャップに形成しながら維持放電に関与する第１維持電極及び第２維持電極の面放電ラインの長さを増大させて，発光効率を向上させることができる。
【発明を実施するための最良の形態】
【００２５】
以下に，添付した図面を参照しながら，本発明の好適な実施の形態について詳細に説明する。なお，本明細書及び図面において，実質的に同一の機能構成を有する発明特定事項については，同一の符号を付することにより重複説明を省略する。
【００２６】
図１は本発明の第１実施形態によるプラズマ表示パネルの一部を分解して概略的に示した斜視図である。
【００２７】
この図面を参照すれば，この実施例によるＰＤＰは，所定の間隔を置いて相互対向配置されて，その外郭が互いに封着される第１基板（背面基板）１と第２基板（前面基板）３とを含む。
【００２８】
アドレス電極５は，背面基板１上に第１方向（ｙ軸方向）に伸長形成される。複数のアドレス電極５は，第１方向に向かって伸び，第２方向（ｘ軸方向）に所定の間隔を保ちながら順次配置される。この第１方向と第２方向は互いに直角を形成する。
【００２９】
第１電極（第１維持電極）７と第２電極（第２維持電極）９及び第３電極（走査電極）１１は，アドレス電極５と交差する第２方向（ｘ軸方向）に沿って前面基板３上に形成される。
【００３０】
この第１維持電極７，第２維持電極９，及び走査電極１１の各々は，ｘ軸方向に向かって伸び，ｙ軸方向に所定の間隔を維持するように配置される。
【００３１】
隔壁１３は，前面基板３と背面基板１との間に備えられて，複数の放電セル１５を区画して形成する。この放電セル１５の各々には，アドレス放電及び維持放電を起こすことができるように，アドレス電極５と，これに交差する第１維持電極７，第２維持電極９，及び走査電極１１が対応して配置される。
【００３２】
この隔壁１３は，第１隔壁部材１３ａと第２隔壁部材１３ｂとを含む。この第１隔壁部材１３ａは，アドレス電極５の伸長方向（ｙ軸方向）に沿って伸びて形成される。第２隔壁部材１３ｂは，互いに隣接する第１隔壁部材１３ａの間でこの第１隔壁部材１３ａと交差する方向（ｘ軸方向）に伸びて形成される。
【００３３】
この第１隔壁部材１３ａは，隣り合うアドレス電極５の間に各々対応して配置される。この第１隔壁部材１３ａは，アドレス電極５と交互に，アドレス電極が伸長される方向に沿って形成される。
【００３４】
第２隔壁部材１３ｂは，各放電セル１５に対に配置される第１維持電極７と第２維持電極９に対応して各々配置される。この第２隔壁部材１３ｂは，アドレス電極５と互いに交差する方向に沿って形成される。
【００３５】
この第１隔壁部材１３ａと第２隔壁部材１３ｂが背面基板１と前面基板３との間で相互交差形成されるにより，閉鎖型隔壁構造が形成される。
【００３６】
この閉鎖型隔壁構造は，図１に示されたような四角形状に限定されることはなく，六角形または八角形などに変形できる。
【００３７】
また，上記隔壁１３は，第２隔壁部材１３ｂを備えず，第１隔壁部材１３ａだけで形成できる（図示せず。）。この場合，隔壁１３は，ｙ軸方向に開放される開放型隔壁構造を形成する。すなわち，放電セル１５は帯状に形成される。
【００３８】
蛍光体層１７は，上記のように放電セル１５を区画形成する隔壁１３の内側面と，この隔壁１３に囲まれた誘電層１４上に塗布される蛍光体で形成される。
【００３９】
この蛍光体層１７は，プラズマ放電によって発生する真空紫外線によって，励起された後，安定化されながら可視光を発生させる。
【００４０】
また，放電セル１５は，その内側空間に不活性ガス（一例として，ネオン（Ｎｅ）及びキセノン（Ｘｅ）の混合ガス）を充填している。この不活性ガスは，プラズマ放電時真空紫外線を発生させる。
【００４１】
一方，アドレス電極５は第１維持電極７，第２維持電極９，及び走査電極１１と交差する方向に背面基板１上にｙ軸方向に伸長形成されて上記誘電層１４で覆われる。
【００４２】
この誘電層１４は，プラズマ放電時アドレス電極５を保護し，アドレス放電時壁電荷を形成または蓄積する。
【００４３】
このアドレス電極５にアドレス電圧を有するアドレスパルスが印加され，上記走査電極１１に走査パルスが印加されると，この二つの電極５，１１の間の放電セル１５内でアドレス放電が起こる。
【００４４】
このアドレス放電によって，点灯する放電セル１５が選択され，このように選択された放電セル１５内に壁電荷が形成される。
【００４５】
第１維持電極７と第２維持電極９及び走査電極１１は，この放電セル１５に対応するように前面基板３に形成される。
【００４６】
リセット期間では走査電極１１に印加されるリセット立上り波形とリセット立下り波形によってリセット放電が起こる。このリセット期間に繋がるアドレス期間では，走査電極１１に印加される走査パルスとアドレス電極５に印加されるアドレスパルスによってアドレス放電が起こる。このアドレス期間に繋がる維持期間では，第１維持電極７と第２維持電極９とに交替に印加される維持パルスによって維持放電が起こる。
【００４７】
この第１維持電極７，第２維持電極９，及び走査電極１１は，上記アドレス電極５と交差しながら放電セル１５に対応するように前面基板３にｘ軸方向に繋がる構造で形成され，誘電層２１と保護膜２３の積層構造で覆われる。
【００４８】
この保護膜２３は，可視光を透過させる透明材で形成され，例えばＭｇＯで形成できる。この保護膜２３は，プラズマ放電から誘電層２１を保護し，プラズマ放電時二次電子放出係数を増大させる。
【００４９】
この第１維持電極７と第２維持電極９は，ｙ軸方向に隣接する放電セルに共有される構造で形成できる（図示せず。）。この場合，第１維持電極７及び第２維持電極９は，隣接する放電セル１５の維持放電に共通的に作用する。
【００５０】
また，この第１維持電極７と第２維持電極９との間に走査電極１１が配置されれば，前面基板３上には，第１維持電極７，走査電極１１，第２維持電極９，走査電極１１，及び第１維持電極７の配列が反復的に形成される。
【００５１】
この場合，隣接した放電セル１５の間に形成される非放電領域が除去されるため放電セル１５による放電領域が増大して，放電効率が向上できる。
【００５２】
また，本実施形態に示されたように，第１維持電極７と第２維持電極９はｙ軸方向に隣接する放電セル１５に，対となるように各々形成されて，各放電セル１５の維持放電にのみ作用できる。
【００５３】
この第１維持電極７と第２維持電極９との間に走査電極１１が配置されれば，前面基板３上には第１維持電極７，走査電極１１，及び第２維持電極９の配列が反復的に形成される。
【００５４】
上記第１維持電極７と第２維持電極９は，維持放電に必要な維持パルスを印加する電極として役割を果たし，走査電極１１はリセットパルス及び走査パルスを印加する電極として役割を果たす。
【００５５】
しかしながら，この第１維持電極７，第２維持電極９，及び走査電極１１は，それぞれの電極に印加される電圧の波形によってその電極の役割を異ならせることができるため必ずしも上記の役割に限定されない。
【００５６】
この第１維持電極７と第２維持電極９，及び走査電極１１は各々透明電極７ａ，９ａ，１１ａまたはバス電極７ｂ，９ｂ，１１ｂで形成できる（図示せず。）。
【００５７】
しかしながら，本実施形態は各透明電極７ａ，９ａ，１１ａに各バス電極７ｂ，９ｂ，１１ｂを含んで形成される第１維持電極７，第２維持電極９及び走査電極１１を例示している。
【００５８】
この場合，透明電極７ａ，９ａ，１１ａは放電セル１５の内部で面放電を起こす役割を果たす部分であって，放電セル１５の前方開口率確保のために透明な素材で形成される。この透明電極７ａ，９ａ，１１ａは，ＩＴＯ（インジウム錫酸化物）で形成できる。
【００５９】
バス電極７ｂ，９ｂ，１１ｂは透明電極７ａ，９ａ，１１ａの高い電気的抵抗を補償して通電性を確保するためのものであって，アルミニウム（Ａｌ），銀（Ａｇ）のような金属で形成できる。
【００６０】
図２は図１の平面図であり，図３は図１のＩＩＩ−ＩＩＩ線に沿って切って示した断面図である。
【００６１】
この図面を参照すれば，第１維持電極７及び第２維持電極９それぞれの透明電極７ａ，９ａは，一つの放電セル１５に対応してｘ軸方向に伸長する両側端からその中心に向かって突出形成されている。
【００６２】
この第１維持電極７及び第２維持電極９それぞれのバス電極７ｂ，９ｂは，上記各透明電極７ａ，９ａに電圧を印加するようにｘ軸方向に沿って一字形（直線形）に伸びて形成され，各放電セル１５に対応してｙ軸方向に沿って互いに並んで配置される。
【００６３】
また，このバス電極７ｂ，９ｂは曲がっている構造（図示せず。）でも形成することができ，隔壁１３の形状に沿って多様な構造で形成できる。
【００６４】
この透明電極７ａ，９ａは，放電セル１５内で放電ギャップを形成して相互面放電を起こし，このために，互いに対向側壁に面放電ライン７ａａ，９ａａを各々有する。
【００６５】
この面放電ライン７ａａ，９ａａは，ｙ軸方向に対して傾くように交差して（所定の角度を持つように）形成される。この面放電ライン７ａａ，９ａａは，ｘ軸方向に対しても傾くように交差して（所定の角度を持つように）形成される。
【００６６】
この面放電ライン７ａａ，９ａａは，放電セル１５内でアドレス電極５と直交する方向（ｘ軸方向）の距離ｄ１より長い長さｄ２を有する。
【００６７】
この面放電ライン７ａａ，９ａａは，放電セル１５内で一つの対角線方向に形成することができる。この面放電ライン７ａａ，９ａａは，一つの対角線方向に沿って直線に形成でき，この長さｄ２をさらに増大させるために曲線（図示せず。）に形成してもよい。
【００６８】
走査電極１１は，第１維持電極７と第２維持電極９それぞれの透明電極７ａ，９ａの間に配置され，これら各面放電ライン７ａａ，９ａａと所定の間隔，例えばセル幅（ｘ軸方向の長さ）の２０〜３０％，を維持しながら屈曲形成される。
【００６９】
この面放電ライン７ａａ，９ａａが放電セル１５内で対角線方向に沿って直線に形成されることにより，走査電極１１の透明電極１１ａ及びバス電極１１ｂは上記面放電ライン７ａａ，９ａａと平行になるように放電セル１５内で対角線方向の直線に形成される。
【００７０】
図４は，維持放電初期に放電の進行状態を示した断面図である。
【００７１】
図４を参照すると，走査電極１１の透明電極１１ａは第２維持電極９の透明電極面放電ライン９ａａと互いに対向して，維持放電初期に，維持放電の進行（ＡＡ）を面放電ライン９ａａの長さほど増大させる。これによって，走査電極１１と第２維持電極９との間には面放電長さ及び面放電の面積が増大する。
【００７２】
図５は，本格的な維持放電時放電の進行状態を示した断面図である。
【００７３】
図５を参照すると，初期維持放電に続いて，第１維持電極７と第２維持電極９との間で本格的な維持放電が起こる。この時，二つの電極７，９の面放電ライン７ａａ，９ａａはこれらの間で維持放電の進行（ＢＢ）を面放電ライン７ａａ，９ａａの長さほど増大させる。これによって，第１維持電極７と第２維持電極９との間には面放電長さ及び面放電の面積が増大する。
【００７４】
この面放電を起こす長さ及び面積の増大は，放電セル１５内でより多量の真空紫外線を発生させる。この真空紫外線はより広い面積の蛍光体層１７を励起させるため可視光の発生量を増大させる。これはＰＤＰの発光効率を向上させる。
【００７５】
本実施形態においては，第１維持電極と第２維持電極の間に走査電極が位置するため，本格的な維持放電を起こす第１維持電極と第２維持電極の間の間隙は走査電極がない場合に比べて実質的に広くなったロングギャップを形成する。維持放電は，第１維持電極と第２維持電極の間で起こるものであり，第１維持電極７と第２維持電極９の間に走査電極１１が位置することによって，維持放電時，走査電極と第２維持電極の間で初期放電を起こし，第１維持電極と第２維持電極の間で本格的な維持放電を起こすため，低電圧による維持放電を実現することができる。そして面放電ラインを対角線に配置することにより放電領域を大きくすることができ，発光効率を向上させることができる。維持放電は，第１維持電極と第２維持電極の間で起こるものであり，第１維持電極７と第２維持電極９の間に走査電極１１が位置することによって，維持放電時，走査電極と第２維持電極の間で初期放電を起こし，第１維持電極と第２維持電極の間で本格的な維持放電を起こすため，低電圧による維持放電を実現することができる。
【００７６】
以上，添付図面を参照しながら本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範囲に属するものと了解される。
【００７７】
例えば，上述した実施形態においては，面放電ラインが直線もしくは曲線の場合について説明したが，ジグザグ線などであってもよい。つまり，第１維持電極７と第２維持電極９の配置は，放電領域を一番多く確保できる配置であればよく，放電領域が四角形でない多角形の放電セルである場合には，第１維持電極７と第２維持電極９が最も遠くなるような対角線上に配置されてもよい。
【産業上の利用可能性】
【００７８】
本発明は，プラズマ表示パネルに適用可能である。
【図面の簡単な説明】
【００７９】
【図１】本発明の第１の実施形態にかかるプラズマ表示パネルの一部を分解して概略的に示した斜視図である。
【図２】図１の平面図である。
【図３】図１のＩＩＩ−ＩＩＩ線に沿って切った断面図である。
【図４】維持放電初期に放電の進行状態を示した断面図である。
【図５】本格的な維持放電時放電の進行状態を示した断面図である。
【符号の説明】
【００８０】
１          背面基板
３          前面基板
５          アドレス電極
７          第１維持電極
９          第２維持電極
１１        走査電極
７ａ        第１維持電極の透明電極部
９ａ        第２維持電極の透明電極部
１１ａ      走査電極の透明電極部
７ａａ      第１維持電極の面放電ライン
９ａａ      第２維持電極の面放電ライン
１１ａａ    走査電極の面放電ライン
１１ｂ      第１維持電極のバス電極
９ｂ        第２維持電極のバス電極
１１ｂ      走査電極のバス電極
１３        隔壁
１３ａ      第１隔壁部材
１３ｂ      第２隔壁部材
１４，２１  誘電層
１５        放電セル
１７        蛍光体層
２３        保護膜
【図１】
2006156381.tif 000003
【図２】
2006156381.tif 000004
【図３】
2006156381.tif 000005
【図４】
2006156381.tif 000006
【図５】
2006156381.tif 000007